(57)【要約】【課題】少なくとも２枚のレンズが保持されたレンズ保持枠において、一方のレンズと他方のレンズとを簡単な構造で、かつ、簡単な作業で光学調整を行うことができるレンズ保持枠を備えたレンズ装置を提供する。【解決手段】本発明では、フォーカスレンズ１８が２枚のレンズ１８Ａ、１８Ｂから構成され、これらのレンズ１８Ａ、１８Ｂがレンズ保持枠３４に保持される。レンズ保持枠３４は、前方のレンズ１８Ａを保持する第１レンズ保持枠３４Ａと、後方のレンズ１８Ｂを保持する第２レンズ保持枠３４Ｂとに分割される。第１レンズ保持枠３４Ａと第２レンズ保持枠３４Ｂとは、その当接部において、円周方向に線接触状態で接触されて相対的に揺動自在に取り付けられる。コリメータ装置に第１レンズ保持枠３４Ａを固定し、この第１レンズ保持枠３４Ａに対して接線接触状態の第２レンズ保持枠３４Ｂを揺動させて光学調整を行い、ベストな位置で第１レンズ保持枠３４Ａと第２レンズ保持枠３４Ｂとを接着剤によって接着する。【選択図】    図５
2008225261.tif 000002
【特許請求の範囲】
【請求項１】
少なくとも２枚のレンズが保持されたレンズ保持枠を有するレンズ装置において、
前記少なくとも２枚のレンズのうち一方のレンズを保持する第１レンズ保持枠と、前記少なくとも２枚のレンズのうち他方のレンズを保持する第２レンズ保持枠とに前記レンズ保持枠が分割され、
前記第１レンズ保持枠と前記第２レンズ保持枠とは、円周方向に線接触状態で接触されて相対的に揺動自在に取り付けられ、前記一方のレンズと前記他方のレンズとの相対的な光学調整後に接着されることを特徴とするレンズ装置。
【請求項２】
前記レンズ装置は、第１レンズ群、第２レンズ群、第３レンズ群、及び第４レンズ群からなる４群構成のレンズ装置であって、
前記第１レンズ群は前玉レンズであり、第２レンズ群は撮影光軸方向に移動されるバリエータレンズであり、前記第３レンズ群は防振レンズであり、前記第４レンズ群は前記レンズ保持枠に保持されたフォーカスレンズであることを特徴とする請求項１に記載のレンズ装置。
【発明の詳細な説明】
【技術分野】
【０００１】
本発明はレンズ装置に係り、特に少なくとも２枚のレンズを保持したレンズ保持枠であって、２枚のレンズのうち一方のレンズを他方のレンズに対して揺動することにより、光学調整を可能としたレンズ装置に関する。
【背景技術】
【０００２】
レンズ装置のレンズ鏡胴内に配置された複数のレンズ群同士の光学調整構造として、特許文献１に開示された光学調整構造が知られている。
【０００３】
また、２枚のレンズが保持されたレンズ保持枠の各レンズの偏芯調整や光軸方向の位置調整を行う光学調整構造が、特許文献２に開示されている。
【０００４】
特許文献２に光学調整構造は、第１レンズを保持した第１レンズ枠と第２レンズを保持した第２レンズ枠とにレンズ保持枠を分割し、これらの第１レンズ枠と第２レンズ枠とを相対的に移動して光学調整を行うものである。具体的には、第１レンズ枠の後部に突起を形成し、この突起を、第２レンズ枠に周方向に連なるように階段状に設けられた、調整形状部としての複数の階段面のうちいずれかに突き当てて、ベストな光学調整状態になるよう第１レンズと第２レンズとの間隔調整を行う。この後、前記突起を前記階段面のうちいずれかに突き当てた状態で、第１レンズ枠を光軸と直交する方向に偏芯調整し、ベストな光学調整状態になった位置で第１レンズ枠と第２レンズ枠とを接着により結合させるものである。
【特許文献１】特開平１０−３１９２９２号公報
【特許文献２】特開２００２−３５０７０２号公報
【発明の開示】
【発明が解決しようとする課題】
【０００５】
しかしながら特許文献２の光学調整構造は、第１レンズ枠に突起を形成するとともに、第２レンズ枠に階段状の調整形状部を形成した複雑な構造を呈しており、また、その光学調整も間隔調整と偏芯位置調整の２つの調整を行う必要があるため、調整に手間がかかるという問題があった。
【０００６】
本発明はこのような事情に鑑みてなされたもので、少なくとも２枚のレンズが保持されたレンズ保持枠において、一方のレンズと他方のレンズとを簡単な構造で、かつ、簡単な作業で光学調整を行うことができるレンズ保持枠を備えたレンズ装置を提供することを目的とする。
【課題を解決するための手段】
【０００７】
請求項１に記載の発明は、前記目的を達成するために、少なくとも２枚のレンズが保持されたレンズ保持枠を有するレンズ装置において、前記少なくとも２枚のレンズのうち一方のレンズを保持する第１レンズ保持枠と、前記少なくとも２枚のレンズのうち他方のレンズを保持する第２レンズ保持枠とに前記レンズ保持枠が分割され、前記第１レンズ保持枠と前記第２レンズ保持枠とは、円周方向に線接触状態で接触されて相対的に揺動自在に取り付けられ、前記一方のレンズと前記他方のレンズとの相対的な光学調整後に接着されることを特徴としている。
【０００８】
請求項１に記載の発明によれば、少なくとも２枚のレンズのうち一方のレンズを保持する第１レンズ保持枠と、少なくとも２枚のレンズのうち他方のレンズを保持する第２レンズ保持枠とにレンズ保持枠を分割する。そして、これらの第１レンズ保持枠と第２レンズ保持枠とを、円周方向に線接触状態で接触させて相対的に揺動自在に取り付ける。線接触構造は、どちらか一方の当接面をテーパ状に形成することによって構成できる。そして、第１レンズ保持枠と第２レンズ保持枠とを相対的に揺動させて光学調整（コリメータにより点像を確認しながら行う光学調整）を行い、ベストな位置（点像がはっきりと見える位置）で第１レンズ保持枠と第２レンズ保持枠とを接着する。これにより、少なくとも２枚のレンズが保持されたレンズ保持枠において、一方のレンズと他方のレンズとを、点接触構造という簡単な構造で、かつ、揺動という簡単な作業で光学調整を行うことができる。
【０００９】
請求項２に記載の発明は、請求項１において、前記レンズ装置は、第１レンズ群、第２レンズ群、第３レンズ群、及び第４レンズ群からなる４群構成のレンズ装置であって、前記第１レンズ群は前玉レンズであり、第２レンズ群は撮影光軸方向に移動されるバリエータレンズであり、前記第３レンズ群は防振レンズであり、前記第４レンズ群は前記レンズ保持枠に保持されたフォーカスレンズであることを特徴とする。
【００１０】
請求項２に記載の発明は、４群レンズ構成のレンズ装置において、請求項１に記載の発明を適用した場合の好適なレンズ装置が示されている。このレンズ装置は光軸方向前方から後方に向けて、前玉レンズである第１レンズ群、焦点距離を変更するバリエータレンズである第２レンズ群、防振レンズである第３レンズ群、及び請求項１のレンズ保持枠に保持されたフォーカスレンズである第４レンズ群が配置されて構成されている。このような４群レンズ構成のレンズ装置において、フォーカスレンズの光軸は、そのレンズ装置の光学的性能を大きく左右する要件である。よって、請求項１の光学調整構造によって光軸が合わされたフォーカスレンズを有する請求項２に記載のレンズ装置によれば、高い光学性能を得ることができる。
【発明の効果】
【００１１】
本発明に係るレンズ装置によれば、少なくとも２枚のレンズのうち一方のレンズを保持する第１レンズ保持枠と、少なくとも２枚のレンズのうち他方のレンズを保持する第２レンズ保持枠とにレンズ保持枠を分割し、第１レンズ保持枠と第２レンズ保持枠とを、円周方向に線接触状態で接触させて相対的に揺動自在に取り付け、第１レンズ保持枠と第２レンズ保持枠とを相対的に揺動させて光学調整を行い、ベストの位置で第１レンズ保持枠と第２レンズ保持枠とを接着したので、少なくとも２枚のレンズが保持されたレンズ保持枠において、一方のレンズと他方のレンズとを簡単な構造で、かつ、簡単な作業で光学調整を行うことができる。
【発明を実施するための最良の形態】
【００１２】
以下添付図面に従って、本発明に係るレンズ装置の好ましい実施の形態について詳説する。
【００１３】
図１には、実施の形態に係るレンズ装置１０の側断面図が示されている。このレンズ装置１０は、撮影光軸前方側（被写体側）から撮影光軸後方（撮像側）に向って第１レンズ群１２、第２レンズ群１４、第３レンズ群１６、及び第４レンズ群１８から構成されており、これらの第１乃至第４レンズ群１２〜１８を通過した被写体光は、色分解光学系を構成する色分解プリズム２０を介して色分解プリズム２０のＲ、Ｇ、Ｂの各出射端に設けられた撮像素子２２、２４、２６に結像される。なお、このレンズ装置１０が装備されるカメラ本体（不図示）には、撮像素子２２、２４、２６から得られた撮像信号に所要の処理（ホワイトバランス、γ補正等）を施して所定形式の映像信号を生成する信号処理回路（不図示）等が搭載されている。
【００１４】
第１レンズ群１２はいわゆる前玉レンズであり、第２レンズ群１４は焦点距離を変更するバリエータレンズ、第３レンズ群１６は手振れ等に起因する振動を打ち消す方向に駆動される防振レンズ、第４レンズ群１８は焦点を調整するフォーカスレンズである。
【００１５】
これらの第１乃至第４レンズ群１２〜１８は、レンズ鏡胴本体１１内に保持されている。また、レンズ鏡胴本体１１内には、光軸と平行な一対のガイドバー２８、３０（図  、図  参照）が挿通配置されており、このガイドバー２８、３０に第２レンズ群１４の保持枠３２及び第４レンズ群１８の保持枠３４がそれぞれスライド移動自在に支持されるとともに、第３レンズ群１６の筐体３６がガイドバー２８、３０に固定されている。なお、筐体３６をレンズ鏡胴本体１１に直接固定してもよい。
【００１６】
第２レンズ群１４には、ねじ送り装置を構成するナット（不図示）が設けられ、このナットに、同じくねじ送り装置を構成する送りねじ（不図示）が螺合連結されている。この送りねじは、光軸と平行に配設されるとともに、その端部がズーム用ステッピングモータ（不図示）の出力軸に連結されている。ズーム用ステッピングモータのズームドライバ回路（不図示）にカメラ本体側からズーム信号が出力されると、ズーム用ステッピングモータはその信号に対応した方向に送りねじを回転駆動する。これによって、第２レンズ群１４がガイドバー２８、３０に沿って光軸方向に前後移動され、所望の焦点距離に調整される。
【００１７】
第４レンズ群１８にも同様に、ねじ送り装置を構成するナット（不図示）が設けられ、このナットに、同じくねじ送り装置を構成する送りねじ（不図示）が螺合連結されている。この送りねじは、光軸と平行に配設されるとともに、その端部がフォーカス用ステッピングモータ（不図示）の出力軸に連結されている。フォーカス用ステッピングモータのフォーカスドライバ回路（不図示）にカメラ本体側からフォーカス信号が出力されると、フォーカス用ステッピングモータはその信号に対応した方向に送りねじを回転駆動する。これによって、第４レンズ群１８がガイドバー２８、３０に沿って光軸方向に前後移動され、焦点が合わされる。
【００１８】
次に、防振機構の構造について説明する。
【００１９】
図２は、防振レンズ１６を装備した筐体３６を後方から見た斜視図であり、図３は、図２に示した筐体３６からアクチュエータを除いた斜視図である。
【００２０】
これらの図に示すように、第３レンズ群（ここでは便宜上、防振レンズと称する）１６は、レンズ保持枠５０に保持され、このレンズ保持枠５０は撮影光軸Ｌに直交する面内で、異なる二方向に移動自在に支持される。以下、防振レンズ１６の移動方向をＸ方向（図２、図３の横方向）、Ｙ方向（図２、図３の縦方向）とする。また、防振レンズ１６をＸ方向に移動させる機構をＸ移動機構、Ｙ方向に移動させる機構をＹ移動機構と称する。
【００２１】
まず、Ｘ移動機構について説明する。
【００２２】
レンズ保持枠５０には、移動ガイドバー５２が固定される。移動ガイドバー５２は、Ｙ方向に配設され、この移動ガイドバー５２にスライダ５４が係合される。スライダ５４は、上辺部と左辺部から成るＬ字状に形成され、左辺部には二つのガイド部５６、５６が光軸方向に突出して形成される。各ガイド部５６にはガイド孔（不図示）がＹ方向に形成され、これらのガイド孔に移動ガイドバー５２が挿通される。これにより、スライダ５４が移動ガイドバー５２に沿ってＹ方向にスライド自在に係合される。したがって、レンズ保持枠５０はスライダ５４によってＹ方向にスライド自在に支持される。また、レンズ保持枠５０はＸ方向の動きがスライダ５４に規制され、スライダ５４をＸ方向に移動した際にレンズ保持枠５０もＸ方向に移動される。
【００２３】
なお、移動ガイドバー５２の図中下端部５２Ａは、筐体３６に形成されたＸ方向の長孔５８に係合されており、これによって、レンズ保持枠５０の倒れ（光軸方向に対する傾き）が防止される。
【００２４】
スライダ５４の上辺部には、Ｘ方向のガイド孔（不図示）が形成されており、このガイド孔に固定ガイドバー６０が挿通される。固定ガイドバー６０は、Ｘ方向に配設され、その両端部は筐体３６に固定される。これにより、スライダ５４は、固定ガイドバー６０に沿ってＸ方向にスライド自在に支持される。スライダ５４をＸ方向にスライドさせることによって、スライダ５４の左辺部に移動ガイドバー５２を介して係合されたレンズ保持枠５０がＸ方向にスライドされる。
【００２５】
また、スライダ５４の上辺部には、平面状のモータコイル（商品名「ファインパターンコイル」（登録商標））６２が固定され、このモータコイル６２の下面にフレキシブルプリント基板（以下、フレキと称する）６４の出力端が接着固定される。モータコイル６２は防振レンズ１６の外側周辺でＸ方向に配設されており、また、フレキ６４にホール素子等の位置センサ６６が位置決めされて固着されている。
【００２６】
フレキ６４は、モータコイル６２からＸ方向に引き出され、筐体３６の側面開口６８を介して筐体３６の外部に引き出される。外部に引き出されたフレキ６４は、外側に屈曲され、さらにＶ状（またはＵ状）の屈曲部が形成された後、レンズ鏡胴本体１１（図１参照）の所定の位置からレンズ鏡胴本体１１の外部に引き出される。引き出されたフレキ６４は、電源供給や防振レンズ１６の動作制御を行うユニットに接続される。なお、筐体３６の側面開口６８は、スリット７０を介して筐体３６の端面に連通されており、このスリット７０にフレキ６４を通すことによってフレキ６４が側面開口６８の内部に配置される。
【００２７】
モータコイル６２の外側には、マグネット７２がモータコイル６２に対向して配置される。マグネット７２は、矩形の板状に形成され、Ｓ極７２ＡとＮ極７２ＢがＸ方向に並ぶように配設される。前述した位置センサ６６はマグネット７２のＳ極７２ＡとＮ極７２Ｂとの境界部に対向して配置され、磁場の変化を検出し、その検出した信号を、フレキ６４を介して前記ユニットに出力する。
【００２８】
マグネット７２の外側には、ヨークとなる金属板（不図示）が設けられる。金属板は、マグネット７２の磁力によってマグネット７２に吸着される。また、金属板は、マグネット７２よりも大きな矩形状に形成されており、その縁部がマグネット７２から突出した状態で取り付けられる。筐体３６の外面には、金属板の大きさの凹部が形成され、さらにその内側にマグネット７２の大きさの開口７４が形成されており、この筐体３６の凹部に金属板が収納され、開口７４にマグネット７２が収納される。
【００２９】
モータコイル６２の内側には、ヨークとなる金属板７６がモータコイル６２に対向してＸ方向に配置される。この金属板７６は、その一端が前記スリット７０に差し込まれ、その他端が筐体３６に形成された溝７８に差し込まれることにより筐体３６に固定される。
【００３０】
上記の如く構成されたＸ移動機構は、マグネット７２及び２枚の金属板（一方は不図示）７６によって形成される磁界内にモータコイル６２が配設されるので、モータコイル６２に通電することによって、モータコイル６２及びそれを支持するスライダ５４がＸ方向に力を受ける。したがって、スライダ５４及びレンズ保持枠５０がＸ方向に移動され、よって、防振レンズ１６がＸ方向に移動される。以上が防振機構の構造である。
【００３１】
次に、Ｙ移動機構について説明する。
【００３２】
レンズ保持枠５０には、移動ガイドバー８２が固定される。移動ガイドバー８２は、Ｘ方向に配設され、この移動ガイドバー８２にスライダ８４が係合される。スライダ８４は、下辺部と右辺部から成るＬ字状に形成され、下辺部には二つのガイド部８６、８６が光軸方向に突出して形成される。各ガイド部８６にはガイド孔（不図示）がＸ方向に形成され、これらのガイド孔に移動ガイドバー８２が挿通される。これにより、スライダ８４が移動ガイドバー８２に沿ってＸ方向にスライド自在に係合される。したがって、レンズ保持枠５０はスライダ８４によってＸ方向にスライド自在に支持される。また、レンズ保持枠５０はＹ方向の動きがスライダ８４に規制され、スライダ８４をＹ方向に移動した際にレンズ保持枠５０もＹ方向に移動される。
【００３３】
スライダ８４の右辺部には、Ｙ方向のガイド孔（不図示）が形成されており、このガイド孔に固定ガイドバー９０が挿通される。固定ガイドバー９０は、Ｙ方向に配設され、その両端部は筐体３６に固定される。これにより、スライダ８４は、固定ガイドバー９０に沿ってＹ方向にスライド自在に支持される。スライダ８４をＹ方向にスライドさせることによって、スライダ８４の下辺部に移動ガイドバー８２を介して係合されたレンズ保持枠５０がＹ方向にスライドされる。
【００３４】
また、スライダ８４の右辺部には、平面状のモータコイル（商品名「ファインパターンコイル」（登録商標））９２が固定され、このモータコイル９２の左面にフレキシブルプリント基板（以下、フレキと称する）９４の出力端が接着固定される。モータコイル９２は防振レンズ１６の外側周辺でＹ方向に配設されており、また、フレキ９４にホール素子等の位置センサ９６が位置決めされて固着されている。
【００３５】
フレキ９４は、モータコイル９２からＹ方向に引き出され、筐体３６の側面開口９８を介して筐体３６の外部に引き出される。外部に引き出されたフレキ９４は、外側に屈曲され、さらにＶ状（またはＵ状）の屈曲部が形成された後、レンズ鏡胴本体１１（図１参照）の所定の位置からレンズ鏡胴本体１１の外部に引き出される。引き出されたフレキ９４は、電源供給や防振レンズ１６の動作制御を行うユニットに接続される。なお、筐体３６の側面開口９８は、スリット１００を介して筐体３６の端面に連通されており、このスリット１００にフレキ９４を通すことによってフレキ９４が側面開口９８の内部に配置される。
【００３６】
モータコイル９２の外側には、マグネット１０２がモータコイル９２に対向して配置される。マグネット１０２は、矩形の板状に形成され、Ｓ極１０２ＡとＮ極１０２ＢがＹ方向に並ぶように配設される。前述した位置センサ９６はマグネット１０２のＳ極１０２ＡとＮ極１０２Ｂとの境界部に対向して配置され、磁場の変化を検出し、その検出した信号を、フレキ９４を介して前記ユニットに出力する。
【００３７】
マグネット１０２の外側には、ヨークとなる金属板（不図示）が設けられる。金属板は、マグネット１０２の磁力によってマグネット１０２に吸着される。また、金属板は、マグネット１０２よりも大きな矩形状に形成されており、その縁部がマグネット１０２から突出した状態で取り付けられる。筐体３６の外面には、金属板の大きさの凹部が形成され、さらにその内側にマグネット１０２の大きさの開口１０４が形成されており、この筐体３６の凹部に金属板が収納され、開口１０４にマグネット１０２が収納される。
【００３８】
モータコイル９２の内側には、ヨークとなる金属板１０６がモータコイル９２に対向してＹ方向に配置される。この金属板１０６は、その一端が前記スリット１００に差し込まれ、その他端が筐体３６に形成された溝１０８に差し込まれることにより筐体３６に固定される。
【００３９】
上記の如く構成されたＹ移動機構は、マグネット１０２及び２枚の金属板（一方は不図示）１０６によって形成される磁界内にモータコイル９２が配設されるので、モータコイル９２に通電することによって、モータコイル９２及びそれを支持するスライダ８４がＹ方向に力を受ける。したがって、スライダ８４及びレンズ保持枠５０がＹ方向に移動され、よって、防振レンズ１６がＹ方向に移動される。以上が防振機構の構造である。
【００４０】
図４は、第４レンズ群（ここでは便宜上、フォーカスレンズと称する）１８及びそのレンズ保持枠３４を撮影光軸Ｌの後方から見た斜視図であり、図５はレンズ保持枠３４の断面図である。
【００４１】
図５に示すようにフォーカスレンズ１８は、２枚のレンズ１８Ａ、１８Ｂがレンズ保持枠３４に保持されて構成されている。また、レンズ保持枠３４は、前方のレンズ１８Ａを保持する第１レンズ保持枠３４Ａと、後方のレンズ１８Ｂを保持する第２レンズ保持枠３４Ｂとに分割されている。第１レンズ保持枠３４Ａと第２レンズ保持枠３４Ｂとは、その当接部Ａにおいて、円周方向に線接触状態で接触されて相対的に揺動自在に取り付けられている。線接触構造は、どちらか一方の当接面をテーパ状に形成し、他方の当接面を角状に形成することにより構成することができる。実施の形態では第２レンズ保持枠３４Ｂ側の当接面がテーパ状に形成され、第１レンズ保持枠３４Ａ側の当接面が角状に形成されている。
【００４２】
このように構成されたフォーカスレンズ１８の光学調整方法について説明すると、例えば、コリメータ装置に第１レンズ保持枠３４Ａを固定し、この第１レンズ保持枠３４Ａに対して接線接触状態の第２レンズ保持枠３４Ｂを揺動させて光学調整を行う。すなわち、コリメータ装置の点像を確認しながら第２レンズ保持枠３４Ｂを揺動させ、そして、点像がはっきりと見えるベストな位置で第１レンズ保持枠３４Ａと第２レンズ保持枠３４Ｂとを接着剤によって接着する。接着剤は、第１レンズ保持枠３４Ａと第２レンズ保持枠３４Ｂとの線接触部に流し込めばよい。
【００４３】
これにより、２枚のレンズ１８Ａ、１８Ｂが保持されたレンズ保持枠３４において、一方のレンズ１８Ａと他方のレンズ１８Ｂとを、点接触構造という簡単な構造で、かつ、揺動という簡単な作業で光学調整を行うことができる。
【００４４】
なお、図５のフォーカスレンズ１８は２枚のレンズ１８Ａ、１８Ｂによって構成されているが、３枚以上のレンズによって構成されたものでもよい。すなわち、第１レンズ保持枠３４Ａ又は第２レンズ保持枠３４Ｂに２枚以上のレンズが保持されたものでもよい。
【００４５】
一方で、実施の形態の４群レンズ構成のレンズ装置１０において、撮影光軸Ｌの後方側に配置されたフォーカスレンズ１８の光軸は、そのレンズ装置１０の光学的性能を大きく左右する要件である。よって、上記光学調整構造によって光軸が合わされたフォーカスレンズ１８を有する４群レンズ構成のレンズ装置によれば、高い光学性能を得ることができる。
【００４６】
図６は、レンズ保持枠３４を分割することなく、レンズ１８Ｂの光学調整を可能としたレンズ保持枠３４の断面図が示されている。この例は、レンズ１８Ｂの被写体側の周縁部１９ＡにＲ面取りを形成し、この周縁部１９Ａをレンズ保持枠３４の内側周縁部３４Ａに揺動自在に当接した構成であり、内側周縁部３４Ａに沿ってレンズ１８Ｂを揺動させることにより、レンズ１８Ａに対するレンズ１８Ｂの光学調整を行うことができる。光学調整後、レンズ１８Ｂは接着剤によってレンズ保持枠３４に接着される。
【００４７】
図７も図６と同様に、レンズ保持枠３４を分割することなく、レンズ１８Ｂの光学調整を可能としたレンズ保持枠３４の断面図が示されている。この例は、レンズ１８Ｂの結像位置側の周縁部１９ＢにＲ面取りを形成し、この周縁部１９Ｂをレンズ保持枠３４の外側周縁部３４Ｂに揺動自在に当接した構成であり、外側周縁部３４Ｂに沿ってレンズ１８Ｂを揺動させることにより、レンズ１８Ａに対するレンズ１８Ｂの光学調整を行うことができる。光学調整後、レンズ１８Ｂは接着剤２１によってレンズ保持枠３４に接着される。
【図面の簡単な説明】
【００４８】
【図１】実施の形態のレンズ装置の構成を示した断面図
【図２】図１に示したレンズ装置の防振レンズを装備した筐体を撮影光軸の後方から見た斜視図
【図３】図２に示した筐体からアクチュエータを除いた斜視図
【図４】図１に示したレンズ装置のフォーカスレンズを保持したレンズ保持枠の斜視図
【図５】図４に示したレンズ保持枠の断面図
【図６】レンズの一方側の周縁部にＲ面取りを形成して光学調整可能としたレンズ保持枠の断面図
【図７】レンズの他方側の周縁部にＲ面取りを形成して光学調整可能としたレンズ保持枠の断面図
【符号の説明】
【００４９】
１０…レンズ装置、１１…レンズ鏡胴本体、１２…第１レンズ群、１４…第２レンズ群、１６…第３レンズ群、１８…第４レンズ群、１８Ａ、１８Ｂ…レンズ、２０…色分解プリズム、２２、２４、２６…撮像素子、２８、３０…ガイドバー、３２、３４、５０…レンズ保持枠、３４Ａ…第１レンズ保持枠、３４Ｂ…第２レンズ保持枠、６２、９２…平面状モータコイル、７２、１０２…マグネット
【図１】
2008225261.tif 000003
【図２】
2008225261.tif 000004
【図３】
2008225261.tif 000005
【図４】
2008225261.tif 000006
【図５】
2008225261.tif 000007
【図６】
2008225261.tif 000008
【図７】
2008225261.tif 000009